(57)【要約】【課題】縫製コストを削減し、洗濯も簡単に行うことができ衛生的な愛玩動物用ベッドを提供すること。【解決手段】ベッド１０を袋状のメインカバー１１、同メインカバー１１内に収容されるフレーム１２、マットカバー１３、同マットカバー１３内に収容されるマット１４より構成した。そして、カバー１１内に４本のフレーム１２が直列に突き合わされた状態で隣接配置し、メインカバー１１の開口部１１ａを含む剰余の同カバー１１布地をフレーム１２の底面とメインカバー１１の内底部１１ｂ上との間に挟み込み、メインカバー１１にテンションをつけて弛みを取るようにした。そして、各フレーム１２によって形成される凹部Ｓにマット１４を圧入することでベッド１０が使用できるようにした。【選択図】      図２
2006180793.tif 000002
【特許請求の範囲】
【請求項１】
愛玩動物が休息するための平板状の外観を有する愛玩動物用ベッドにおいて、
袋状をなすカバー内底部にリング状の枠部材を配置し、同枠部材を出し入れするための開口部を同枠部材の中央位置に配置するとともに、同カバーを内側に折り込むによって同枠部材の外周面から内周面にかけて同カバーにて被覆し、同開口部を含む剰余の同カバー布地を同カバー内底部上に敷いて内部に凹部を有するベッド本体を構築する一方、同凹部の形状と略同一の平面形状を有するブロック体を同凹部に圧入してなることを特徴とする愛玩動物用ベッド。
【請求項２】
前記枠部材はクッション性を有する発泡性プラスチックからなることを特徴とする請求項１に記載の愛玩動物用ベッド。
【請求項３】
前記ブロック体はクッション性を有する発泡性プラスチックからなることを特徴とする請求項１又は２に記載の愛玩動物用具。
【請求項４】
前記枠部材は直列に突き合わせられた複数の分割体から構成されていることを特徴とする請求項１〜３のいずれかに記載の愛玩動物用ベッド。
【請求項５】
前記カバー内底部は前記枠部材の外周形状に一致する形状に構成されていることを特徴とする請求項１〜４のいずれかに記載の愛玩動物用ベッド。
【請求項６】
前記カバーは前記開口部寄り上方ほど先窄まりに形成されていることを特徴とする請求項１〜５のいずれかに記載の愛玩動物用ベッド。
【発明の詳細な説明】
【技術分野】
【０００１】
本発明は、犬や猫等の愛玩動物が休息するために使用される愛玩動物用ベッドに関するものである。
【背景技術】
【０００２】
従来、愛玩動物用のクッションとして、例えば特許文献１に記載される猫用ベッドがある。同文献に記載の猫用ベッドは猫が丸まって寝そべるクッション部と、そのクッション部周囲に設けられ寝そべった猫の頭部が置かれる土手状の枕部とから形成されている。前記枕部とクッション部は布地の内部に綿が詰め込まれ、猫の使用具合を向上している。
また、別の愛玩動物用のクッションとして、例えば特許文献２のような愛玩動物用具がある。同文献記載の愛玩動物用具は、ウレタンを織布で挟み込んで縫製した屈曲自在な６つの面材を、折り畳み可能に連結している。各面材の折り畳み方を変更することにより、全体の形状が箱状となったり、ソファー状となったり適宜形状を変更できるようになっている。
【特許文献１】特開平２００２−１９１２４７号公報
【特許文献２】特開平２００４−１０５０７３号公報
【発明の開示】
【発明が解決しようとする課題】
【０００３】
しかしながら、上記公報に記載の発明では、以下のような問題があった。
特許文献１に記載の猫用ベッドにおいては、クッション部及び枕部は布地の中に綿が詰め込まれて構成されていることから、洗濯時に内部の綿が痛みやすく、また、乾燥しにくいという問題があった。
また、特許文献２に記載の愛玩動物用具においては各面材は着脱不能に連結されていることから展開面積が大きく、洗濯作業が非常に困難であった。また、各面材はウレタンは織布で縫製されていることから、洗濯時に織布内からウレタンを取り出すには縫製部分を切断しなければならず、実際には面材の洗濯は不可能ある。このような従来の発明の問題を解消するために、縫製部分をファスナーや面ファスナー等の開閉部材を設けることにより、洗濯時における問題は解消されるが、この場合、ファスナー等の部品点数が増加するとともに、その取付作業工程も増加し、コスト的な問題が発生する。
本発明は、上記問題を解消するためになされたものであり、その目的は、縫製コストを削減し、洗濯も簡単に行うことができ衛生的な愛玩動物用ベッドを提供することにある。
【課題を解決するための手段】
【０００４】
上記目的を達成するために、請求項１に記載の発明では、愛玩動物が休息するための平板状の外観を有する愛玩動物用ベッドにおいて、袋状をなすカバー内底部にリング状の枠部材を配置し、同枠部材を出し入れするための開口部を同枠部材の中央位置に配置するとともに、同カバーを内側に折り込むによって同枠部材の外周面から内周面にかけて同カバーにて被覆し、同開口部を含む剰余の同カバー布地を同カバー内底部上に敷いて内部に凹部を有するベッド本体を構築する一方、同凹部の形状と略同一の平面形状を有するブロック体を同凹部に圧入してなることをその要旨とする。
請求項２に記載の発明では、請求項１に記載の発明において、前記枠部材はクッション性を有する発泡性プラスチックからなることをその要旨とする。
請求項３に記載の発明では、請求項１又は２に記載の発明において、前記ブロック体はクッション性を有する発泡性プラスチックからなることをその要旨とする。
請求項４に記載の発明では、請求項１〜３のいずれかに記載の発明において、前記枠部材はリング状に直列に配置された複数の分割体から構成されていることをその要旨とする。
請求項５に記載の発明では、請求項１〜４のいずれかに記載の発明において、前記カバー内底部は前記枠部材の外周形状に一致する形状に構成されていることをその要旨とする。
請求項６に記載の発明では、請求項１〜５のいずれかに記載の発明において、前記カバーは前記開口部寄り上方ほど先窄まりに形成されていることをその要旨とする。
【０００５】
請求項１に記載の発明においては、カバーを洗濯する際は凹部からブロック体を取り外す。そして、カバーの開口部から枠部材を取り出す。この状態でカバーの洗濯を行う。
また、洗濯終了後再度ベッドを使用する際は、カバーの開口部から枠材を入れ込みカバー内底部に配置する。カバーの開口部を枠部材の中央位置に配置しカバーを内側に折り込んでいく。これによって、枠部材の外周面から内周面にかけてカバーにより被覆される。そして、開口部を含む剰余のカバーの布地をカバーの内底部上に敷いて内部に凹部を有するベッド本体を構築する。そして、凹部内にブロック体を圧入することによりベッドが組み立てられる。
請求項２に記載の発明においては、請求項１に記載の発明の作用に加え、枠部材を発泡性プラスチックから構成したことにより、通気性及びクッション性が向上される。発泡性プラスチックとは例えばポリウレタン、ポリスチレン、ポリプロピレン、ポリエチレン等の発泡体フォームが挙げられる。
請求項３に記載の発明においては、請求項１又は請求項２に記載の発明の作用に加え、ブロック体を発泡性プラスチックから構成したことにより、通気性及びクッション性が向上される。発泡性プラスチックとしては上記と同様である。
請求項４に記載の発明においては、請求項１〜請求項３のいずれかに記載の発明の作用に加え、カバーの開口部から枠材を入れ込む際には分割体毎に入れることができ、カバー内部で分割体を直列に突き合わせてリング状とすることができる。
請求項５に記載の発明においては、請求項１〜請求項４のいずれかに記載の発明の作用に加え、枠部材をカバー内に配置する際は、カバー内底部に位置決めされた状態で枠部材が配置されることとなる。
請求項６に記載の発明においては、請求項１〜請求項５のいずれかに記載の発明の作用に加え、開口部寄り上方ほど先窄まりとなっていることから、カバーを内側に折り込む際、同カバーの布地が余りにくくなる。
【発明の効果】
【０００６】
請求項１に記載の発明によれば、ファスナー等の着脱部材を使用しなくとも、枠部材をカバーの開口部から出し入れさせることができるとともに、使用時において座部位置に配置されるブロック体で開口部を含む剰余のカバーの布地を露出させずに塞ぐことができるので、縫製コストを抑制しつつ、洗濯作業を容易に行うことができ、非常に衛生的であるという優れた効果を奏する。
請求項２に記載の発明によれば、請求項１に記載の発明の効果に加え、枠部材の通気性及びクッション性が向上されることから、愛玩動物が快適に使用できるという優れた効果を奏する。
請求項３に記載の発明によれば、請求項１又は請求項２に記載の発明の効果に加え、ブロック体の通気性及びクッション性が向上されることから、より愛玩動物が快適に使用できるという優れた効果を奏する。
請求項４に記載の発明によれば、請求項１〜請求項３のいずれかに記載の発明の効果に加え、枠部材を分割体としたことにより、カバー内に枠部材を入れやすくなり、ベッドを分解した際にも小スペースに片づけておくことができるという優れた効果を奏する。
請求項５に記載の発明によれば、請求項１〜請求項４のいずれかに記載の発明の効果に加え、枠部材をカバー内底部に位置決めさせることが可能となり、カバー内での枠部材のズレを防止でき、型くずれ等の不具合を防止できるとともに組立作業が簡略化できるという優れた効果を奏する。
請求項６に記載の発明によれば、請求項１〜請求項５のいずれかに記載の発明の効果に加え、カバーを枠部材に覆う際にカバーの布地を余らせずに枠部材にきれいに沿ったベッドを提供することが可能となるため衛生的で外観も優れたものとなる。
【発明を実施するための最良の形態】
【０００７】
以下、本発明を具体化した実施の形態を図面に基づいて説明する。
図１及び図２に示すように、本実施の形態の愛玩動物用ベッド１０はカバーとしてのメインカバー１１、同メインカバー１１内に収容される枠部材（分割体）としてのフレーム１２、マットカバー１３、同マットカバー１３内に収容されるブロック体としてのマット１４より構成されている。
カバー１１内には４本のフレーム１２が直列に突き合わされて配置されている。図４（ａ）は各フレーム１２を隣接させた状態における平面図であり、４本のフレーム１２が口の字状に組み合わされた状態では、外周形状が正方形のリング体を構成する。また、同図に示すように、各フレーム１２の両端の端面１２ａは長手方向に延びる辺長に対して４５度の角度で斜状に構成され、隣接するフレーム１２と端面１２ａ同士が突き合わされて直角に接続されることとなる。また、図２や図４（ａ）等に示すように、相対向する各フレーム１２の内側面１２ｂは断面曲面状をなしている。
図３に示すように、前記メインカバー１１は合成繊維（綿等より構成してもよい）から形成されている。メインカバー１１の内底部１１ｂは前記４本のフレーム１２が組み立てられた状態における外周形状と一致している。つまり、内底部１１ｂは正方形状に形成され、その上下幅（高さ）はフレーム１２の厚みと略一致する。
メインカバー１１の上部には開口部１１ａが形成されている。メインカバー１１は上方ほど先窄まりに形成されている。また、前記各フレーム１２はクッション性を有し、通気性の高い発泡ウレタンフォームより構成されている。
【０００８】
また、図２及び図５に示すように、前記マット１４はクッション性を有し、通気性の高い低反発発泡ウレタンフォームから構成されている。そして、その平面形状は前記フレーム１２により形成される凹部Ｓの周縁形状とほぼ同一形状に形成されている。また、マット１４の厚みは前記フレーム１２の厚みよりも薄肉となっている。マット１４の上下面は多数の凸部１４ａが形成されている。
前記マット１４はマットカバー１５に収容されている。マット１４はマットカバー１５に収容された状態で図５に示すように略正方形の板体形状の外観をなす。マットカバー１５の下面（図５では上面となっている）の生地は分割され上側生地１５ａと同上側生地１５ａよりも短い下側生地１５ｂとされている。上側生地１５ａと下側生地１５ｂの先端同士は重なっており、その重なり部分にマット１４の挿入用のスリット１５ｃが形成されている。
【０００９】
次にベッド１０の組み立て時の作用について説明する。
メインカバー１１の開口部１１ａから各フレーム１２を一本ずつ内部に入れていき、入れながら内底部１１ｂ位置で組み立てていく。組上がった状態でリング体を構成したフレーム１２は内底部１１ｂ内に前後左右方向に移動できないようにしっかりと収まる。
次にメインカバー１１をフレーム１２を外方から覆うように内側に折り込んでいく。そして、前記メインカバー１１の開口部１１ａを含む剰余の同カバー１１布地をフレーム１２の底面とメインカバー１１の内底部１１ｂ上との間に挟み込み、メインカバー１１にテンションをつけて弛みを取る。この状態で図７に示すような凹部Ｓが形成されたベッド本体が構築される。
次に図８に示すように、マットカバー１５に収容されたマット１４を前記スリット１５ｃ側を下側に向けて凹部Ｓに圧入する。このとき、マット１４と凹部Ｓとの平面積とはほぼ同面積（若干マット１４側のが大きい）であるため、マット１４は凹部Ｓに周囲と密着ししっかりと保持される。また、マット１４は凹部Ｓ内において四方から包囲されるため配置された凹部Ｓの位置からズレることがない。マット１４の厚みはフレーム１２の厚みよりも薄いためマット１４が凹部Ｓに嵌合された状態でマット１４はフレーム１２上面から下方に沈んだ位置に配置される。
【００１０】
この状態でベッド１０の組み立てが完了し、ベッド１０が使用可能な状態となる。ベッド１０を使用する際、ペットＰはフレーム（メインカバー１１）１２とマット（マットカバー）１４とで形成される凹部Ｓ内に入って、くつろぐことができる。
また、カバー１１，１５が汚れた際には、前記ベッド１０の組み立て時とは逆工程で各部材を分解することで、カバー１１，１５の洗濯を行うことができる。
【００１１】
上記のように構成することにより本実施の形態では次のような効果が奏される。
（１）メインカバー１１にファスナー等の開閉部材を装着することなく、フレーム１２をメインカバー１１の開口部１１ａから出し入れさせることができるとともに、使用時においてマット１４で開口部１１ａを含む剰余のカバー１１の布地を露出させずに塞ぐことができるので、縫製コストを抑制しつつ、洗濯作業を容易に行うことができ、ベッド１０の衛生面を向上させることができる。
（２）マットカバー１５にファスナー等の開閉部材を装着しないので縫製コストが抑制でき、内部のマット１４の着脱ができることから、マットカバー１５の洗濯が容易となり、ベッド１０の衛生面を向上することができる。
（３）フレーム１２を発泡ウレタンフォームで構成したことにより、クッション性がよく、更にフレーム１２の通気性が向上される。
（４）マット１４をクッション性を有する低反発発泡ウレタンフォームで構成したことにより、マット１２の通気性が向上されるとともにペットＰにとって座り心地のよい形状に維持されることとなり、多数の凸部１４ａによる効果も相まってペットＰがベッド１０を快適に使用できる。
（５）フレーム１２を４分割したことにより、メインカバー１１内に入れやすくなるとともにベッド１０を使用しない際に小スペースに保管することができる。
（６）メインカバー１１の開口部１１ａ寄り上方ほど先窄まりとしたことにより、同カバー１１を内側に折り込んだ際に布地が余りにくく、同カバー１１をフレーム１２に密着できるため特に外観のよいベッド１０を構築することができる。
（７）メインカバー１１内でフレーム１２は内底部１１ｂにちょうど収まるためフレーム１２の配置位置を作業者自らが調整する必要がなく組立作業が簡略化される。
（８）フレーム１２の互いに対向する端面を曲面したことにより、ペットＰがフレーム１４にぶつかったときでも、その衝撃を抑制することができる。
【００１２】
本発明を、以下のように具体化して実施してもよい。
・上記実施の形態では、枠部材としてのフレーム１２を４分割して構成したが、分割せずに一体形成して具体化してもよい。また、分割する場合には４分割以外の数で分割することは自由である。
・上記実施の形態では、凹部Ｓの形状を正方形状としたが、凹部部Ｓの形状を円形状や六角形状等の多角形として具体化してもよい。
・上記実施の形態では、ブロック体としてのマット１４にマットカバー１５を被覆して具体化したが、マットカバー１５を使用せずに具体化してもよい。
・上記実施の形態では、カバーとしてのメインカバー１１の内底部１１ｂの形状を枠部材としてのフレーム１２の外周形状と一致する形状として具体化したが、内底部１１ｂの形状をフレーム１２の外周形状と異なった形状で具体化してもよい。
・上記実施の形態では、枠部材としてのフレーム１２をクッション性のある発泡性プラスチックから構成したが、発泡性プラスチック以外の素材（硬質プラスチック、木材、ゴム等）から構成して具体化してもよい。また、その他、可撓性のある棒状体（例えば、綿やわらやウレタン粒等を収容した袋体）をメインカバー１１内にリング状に収容してもよい。
・上記実施の形態では、ブロック体としてのマット１４をクッション性のある発泡性プラスチックから構成したが、発泡性プラスチック以外の素材（硬質プラスチック、木材、ゴム、可撓性材料等）から構成して具体化してもよい。
・メインカバー１１やマットカバー１５の色や材質は上記に限定されない。表面に模様を付すことも自由である。
・上記実施の形態では、カバーとしてのメインカバー１１を、その開口部１１ｃ寄り上方ほど先窄まりに形成したが、内底部１１ｂの面積と開口部１１ａの面積とが同面積となるように構成してもよい。
・枠部材としてのフレーム１２の互いに隣接する端面１４ａと、凹部Ｓを形成する端面１４ｂとの間の角度を直角等で具体化してもよい。
その他、本発明はその趣旨を逸脱しない範囲において変更した態様で実施することは自由である。
【００１３】
本発明の目的を達成するために上記実施の形態から把握できるその他の技術的思想について下記に付記として説明する。
（１）前記各枠部材の互いに対向する側の端面は曲面状に形成されていることを特徴とする請求項４に記載の愛玩動物用ベッド。
（２）前記ブロック体はカバーにより被覆されていることを特徴とする請求項１〜請求項６又は付記１に記載の愛玩動物用ベッド。
（３）隣接する前記分割体は直列に突き合わされていることを特徴とする請求項４〜請求項６又は付記１に記載の愛玩動物用ベッド。
【図面の簡単な説明】
【００１４】
【図１】本発明にかかる実施の形態におけるベッドの斜視図。
【図２】同じ実施の形態のベッドの断面図。
【図３】同じ実施の形態のメインカバーの斜視図。
【図４】（ａ）はフレームの平面図であり、（ｂ）はフレームの斜視図。
【図５】同じ実施の形態のマット及びマットカバーの斜視図。
【図６】同じ実施の形態のメインカバー内にフレームを収容した状態の断面図。
【図７】同じ実施の形態のメインカバー内にフレームを収容した状態の断面図。
【図８】同じ実施の形態の図７の状態からカバー内に収容されたマットを配置する状態の断面図。
【符号の説明】
【００１５】
１０…愛玩動物用ベッド、１１…カバーとしてのメインカバー、１１ａ…開口部、１１ｂ…内底部、１２…枠部材としてのフレーム、１４…ブロック体としてのとしてのマット。
【図１】
2006180793.tif 000003
【図２】
2006180793.tif 000004
【図３】
2006180793.tif 000005
【図４】
2006180793.tif 000006
【図５】
2006180793.tif 000007
【図６】
2006180793.tif 000008
【図７】
2006180793.tif 000009
【図８】
2006180793.tif 000010